(57)【要約】【課題】支柱を要する鑑賞用植物について、その美観を損なうことなく簡易に所望の姿勢に支持し、その姿勢を安定的に維持できるようにする。【解決手段】鉤状の茎係止部３Ａと円筒状の支柱係止部２Ａとを備え、支柱係止部２Ａに支柱を挿通してその任意位置に固定されるとともに茎係止部３Ａ内側で茎を係止して植物を所定の姿勢で支持させるための植物茎の係止具１Ａにおいて、全体が１本のステンレス鋼線からなり、支柱係止部２Ａ内径が支柱よりも小径のコイル形状とされて支柱を挿通した状態で内周側を支柱外周面に押圧して固定するものであり、支柱係止部２Ａ末端側から略遠心方向に固定解除用の摘み部２１が延設され、摘み部２１を支柱係止部２Ａの巻回方向と逆向きに付勢することで、支柱係止部２Ａ内径が支柱よりも大径となり固定状態が解除されて支柱上を移動可能な状態となり、付勢を解除することで再度固定されるものとした。【選択図】図１
0003120897.tif 000002
【実用新案登録請求の範囲】
【請求項１】
鉤状の茎係止部と円筒状の支柱係止部とを備え、前記支柱係止部に支柱を挿通して該支柱上の任意位置に固定されるとともに前記茎係止部内側で茎を係止して、植物を所定の姿勢で前記支柱に支持させるための植物茎の係止具において、
全体が１本のステンレス鋼線からなり、前記支柱係止部は前記支柱の外径よりも内径が小さいコイル形状とされて前記支柱を挿通した状態で弾性復元力により内周側を前記支柱外周面に押圧して固定されるものであり、前記支柱係止部のコイル形状末端側から略遠心方向に固定解除用のレバー構造が延設され、該レバー構造を前記支柱係止部の巻回方向と逆向きに付勢して回すことにより、前記支柱係止部の内径が前記支柱の外径よりも大きくなって固定状態が解除され前記支柱上を移動可能な状態となり、前記付勢を解除することで再び固定状態となる、ことを特徴とする植物茎の係止具。
【請求項２】
前記茎係止部の前記支柱係止部に対向する開放端側から、外向きに延長され前記茎係止部の湾曲方向と逆方向に湾曲して入口側を前記開放部よりも広げた案内構造が設けられ、前記茎を前記開口部を通して内側に導入する際に前記案内構造の湾曲した傾斜部分を前記茎の外面で押し開くことにより、前記開放部が拡大しながら前記茎を前記内側に案内する、
ことを特徴とする請求項１に記載した植物茎の係止具。
【請求項３】
前記ステンレス鋼線の両端は、前記茎係止部側に向いていることを特徴とする請求項１または２に記載した植物茎の係止具。
【請求項４】
請求項１，２または３に記載した植物茎の係止具を固定して植物を支持するための支柱であって、横断面形状が円形で全長に亘って径が均一とされたステンレス鋼線からなり、且つ、表面に樹脂被膜を有しないことを特徴とする支柱。
【請求項５】
本体下部から分岐脚が並列して延設され、植え込み材への差込みが前記本体と前記分岐脚の二本となる、ことを特徴とする請求項４に記載した支柱。
【請求項６】
先端側が前記分岐脚のある側に湾曲していることを特徴とする、請求項５に記載した支柱。
【考案の詳細な説明】
【技術分野】
【０００１】
本考案は、植物茎の係止具及びそのための支柱に関し、殊に、観賞用植物を好ましい姿勢にして健全な発育と美観を確保するために、その茎を係止して所定形状に立設された支柱で支持させるための係止具、及びそのための支柱に関する。  
【背景技術】
【０００２】
洋蘭や菊、或いは薔薇など、茎の先端側に比較的重量のある花房を有する鑑賞用植物は、その健全な発育と鑑賞時の美しい姿勢を確保するためにその茎を所定形状の支柱で支持して栽培することが多く、殊に鉢植えのものは支柱で支持したまま出荷・販売し、鑑賞するのが通常である。
【０００３】
そして、そのような植物を支柱で支持させるには、紐や針金入りテープなどの係止具で茎を支柱に結びつけて係止する作業が必要であり、栽培者は斯かる係止作業を一本の植物につき複数箇所行っている。また、植物の成長過程により、その高さおよび姿勢、さらには茎の太さが変化してくることから、必要に応じて係止具を外して固定位置を変更しながら係止し直す作業も必要となり、栽培者にとってこれらの係止作業が大きな負担となっていた。
【０００４】
この問題に対し、特開２００１−１０３８４６号公報に記載され図６に示すもののように、合成樹脂からなる円筒形状で周壁に切断部（開放部）２２を持つ支柱係止部２Ｂとその切断部２２から連設延長された一対の鉤状部材からなる茎係止部３Ｂとを備えた係止具１Ｂが提案され、また、実開平６−７２３３９号公報に記載され図７に示すもののように、Ｕ字状のバネ素材からなる茎係止部３Ｃの両端側からくの字状に延設され互いに内角側を外側逆向きにした一対の鉤状部材からなる支柱係止部２Ｃを備えた係止具１Ｃが提案されている。
【０００５】
前者は、切断部２２から支柱を通過させ、合成樹脂からなる支柱係止部２Ｂの弾性でその内周面を支柱外周面に押圧して支柱に固定するものであり、後者はＵ字状の茎係止部３Ｃ内側の空間で植物茎を保持するとともに一対の鉤状部材からなる支柱係止部２Ｃを外側からつまんで交差させ、その内角で形成される空間に支柱を挿入して茎係止部３Ｃの弾性復元力で支柱を挟み込んで固定するものであり、両者とも係止作業の容易化を実現しようとしたものである。
【０００６】
しかし、前者は合成樹脂の弾性による支柱に対する固定力が弱いことに加え、屋外の使用では合成樹脂が容易に劣化して更に固定力が低下しやすく、後者は茎係止部３Ｃのバネ弾性部分から支柱を挟み込む作用点が遠いために固定力を充分に発揮しにくい。従って、両者とも洋蘭等に用いるような比較的細い支柱や花房が重く先端側が垂れ下がる植物等では支柱に対する充分な固定力が発揮されず、係止具が支柱上をずれ動いたり支柱から外れたりして、安定的に支持できなくなるという問題がある。
【０００７】
これに対し、実開平７−３９３７４号公報に記載され、図８に示す係止具１Ｄのように、洗濯バサミ状部材のつまみ部２４を摘んで、茎を把持する大径の茎係止部３Ｄおよび小径の支柱係止部２Ｄで茎Ｐおよび支柱４０を挟み込むようにして、支柱４０への係止力を強めて固定状態の安定性を高めたものが提案されている。しかしながら、このように洗濯バサミ状の部材を用いたものは構成が複雑化してコスト高になりやすい。また、上述した総ての係止具に共通して、紐で係止する場合と比べて茎の係止部分が大きく目立ちやすくなるため、観賞用植物においてはその美観を損ねやすいという欠点がある。
【０００８】
一方、このような係止具を所定位置で固定して植物を支持するための支柱は、係止状態の安定性を長期間に亘って確保するために所定の強度・耐久性が必要であることから、その径を太くしたり腐蝕防止用の樹脂被膜を設けたりしている。ところが、例えば鉢植えの観賞用植物等においては、支柱が太く目立つことでその外観を大きく損ねやすい点が問題となる。そこで、支柱を細く目立たないようにすると、今度は強度・耐久性が不足しやすくなり、また支柱を湾曲させて使用する場合には先端側が容易に旋回して美しい姿勢の維持が困難となりやすい。
【特許文献１】特開２００１−１０３８４６号公報
【特許文献２】実開平６−７２３３９号公報
【特許文献３】実開平７−３９３７４号公報
【考案の開示】
【考案が解決しようとする課題】
【０００９】
本考案は、上記のような問題点を解決しようとするものであり、支柱を要する鑑賞用植物について、その美観を損なうことなく簡易に所望の姿勢に支持し、その姿勢を安定的に維持できるようにすることを課題とする。
【課題を解決するための手段】
【００１０】
そこで、本考案は、鉤状の茎係止部と円筒状の支柱係止部とを備え、支柱係止部に支柱を挿通して支柱上の任意位置に固定されるとともに茎係止部内側で茎を係止して植物を所定の姿勢で支持させるための植物茎の係止具において、全体が１本のステンレス鋼線からなり、支柱係止部が支柱の外径よりも内径が小さいコイル形状とされて支柱を挿通した状態で弾性復元力により内周側を支柱外周面に押圧して固定されるものとし、その支柱係止部のコイル形状末端側から略遠心方向に固定解除用のレバー構造が延設され、このレバー構造を支柱係止部の巻回方向と逆向きに付勢して回すことにより、支柱係止部の内径が支柱の外径よりも大きくなって固定状態が解除され支柱上を移動可能な状態となり、付勢を解除することで再び固定状態となる、ことを特徴としたものとした。
【００１１】
このように、弾性を有する１本のステンレス鋼線を屈曲してなる係止具は、構成が簡易で製作コストが低廉であることに加え、全体的に細く・小さくして茎係止部分を目立たなくすることが容易であり、支持される植物の美観を損ないにくいものとすることができる。また、コイル状の支柱係止部に支柱を挿通するだけで係止具を支柱上の所望位置に安定的に固定できるとともに、コイル形状の中心軸線に対して遠心方向に延設された固定解除用のレバー構造を押すだけで、固定状態を解除してその位置を容易に変更できるものとなり、係止位置変更の際に、栽培者の手間を大きく削減できるものとなる。
【００１２】
また、その茎係止部の支柱係止部に対向する開放端側から、外向きに延長され茎係止部の湾曲方向と逆方向に湾曲して入口側を開放部よりも広げた案内構造が設けられ、開口部を通して茎を内側に導入する際に、その案内構造の湾曲した傾斜部分を茎の外面で押し開くことにより、開放部が拡大しながら植物茎を内側に案内するものとすれば、植物茎の係止作業がワンタッチとなって極めて容易なものとなり、しかも茎係止部の鉤状構造先端で植物茎を傷つける心配の少ないものとなる。
【００１３】
さらに、上述した植物茎の係止具において、これを構成するステンレス鋼線の両端が、茎係止部側に向いたものとすれば、鋭い鋼線両端部で植物茎や作業者の指を傷つけるトラブルの少ないものとなる。
【００１４】
さらにまた、上述した植物茎の係止具を固定して植物を支持するための支柱を、横断面形状が円形で全長に亘って径が均一とされたステンレス鋼線からなるものとし、且つ、表面に樹脂被膜を有しないものとすれば、支柱を比較的細くしても強度を確保しやすいとともに、屋外の使用でも腐蝕・劣化しにくいものとなり、植物の美観を損なわずに長期間に亘って安定的に支持できるものとなる。しかも、全長に亘って径を均一としたことで係止具の装着・固定作業および位置変更作業がスムースで容易なものとなり、且つ固定状態が確実なものとなる。
【００１５】
加えて、この支柱において、その下部から分岐脚が並列して延設され、植え込み材への差込みが本体と分岐脚の二本となるものとすれば、支柱を細くしたり差込みを浅くしたりしても植物を安定的に支持しやすいものとなり、この支柱の先端側を分岐脚のある側に湾曲したものとすれば、湾曲した先端側に植物の荷重がかかった場合でも、分岐脚があることで支柱が倒れにくく、しかも先端側が旋回しにくいものとなって、植物を一層安定的に支持できるものとなる。
【考案の効果】
【００１６】
ステンレス鋼線を屈曲してなる簡易な構成の本考案によると、支柱を要する鑑賞用植物において、その美観を損なうことなく簡易に所望の姿勢に支持することができ、また、その姿勢を安定的に維持することができるものである。
【考案を実施するための最良の形態】
【００１７】
以下に、図面を用いて本考案を実施するための最良の形態を説明する。尚、本発明において、ステンレス鋼線とは、Ｃｒを１０重量％以上含み表面にＣｒ酸化物の被膜を形成させて錆びにくくした鋼線を指すものとする。
【００１８】
本考案における実施の形態の係止具１Ａの側面図である図１（Ａ）を参照して、係止具１Ａは、例えばバネ材料にも使用される弾性に富む１本のステンレス鋼線を屈曲して形成されたものであり、内径が係止する植物茎の外径よりもやや大きくなるように湾曲してなる鉤状の茎係止部３Ａと、これに連続して設けられ内径が挿通する支柱の外径よりも僅かに小径になるように巻回されてコイル形状とされた支柱係止部２Ａとを備えており、茎係止部３Ａに挿通した植物茎と支柱係止部２Ａに挿通した支柱とが、ほぼ並列するような向きとされている。
【００１９】
茎係止部３Ａには、その鉤形状の両端側の隙間に形成される植物茎を通過させるための開口部３ａを有し、その一端からは支柱係止部２Ａが延設され、他端からは茎係止部３Ａの湾曲方向とは逆向きで外側に向かって延設され、内側の開口部３ａよりも外側の入口側を広げた案内部３１が設けられ、茎を通過させる際にこれを内側に案内する案内部構造として機能するようになっている。
【００２０】
図１（Ｂ）に示す係止具１Ａの正面図を参照して、支柱係止部２Ａは弾性に富むステンレス鋼線を複数巻回してコイル形状とした円柱状の部材であり、その末端側からは巻回した中心軸に対し略遠心方向に延設されるとともにＵ字状に屈曲し先端側を支柱係止部２Ａに向けたレバー構造としての摘み部２１が設けられており、これを支柱係止部２Ａの巻回方向とは逆方向、即ち巻回をほどく方向に付勢して回すことで、通常は支柱４０よりも僅かに小径の支柱係止部２Ａの内径が拡開して、支柱４０よりも大径となって固定状態を解除され、支柱４０上を移動可能となるようになっている。
【００２１】
また、係止具１Ａを構成するステンレス鋼線の両端は、図１（Ａ），（Ｂ）に示すようにその両端側を支柱係止部２Ａに向けてあり、鋭利な角を有して植物茎や作業者の指を傷つけやすい両端部が植物茎や作業者の指に接触しにくいようになっており、その安全性を確保できるようになっている。
【００２２】
次に、図２，図３を用いて、係止具１Ａの作用について詳細に説明する。
【００２３】
図２（Ａ）を参照して、上述したように支柱係止部２Ａはステンレス鋼線をコイル状に巻回したもので、通常はその内径がこれに挿通する支柱４０よりも僅かに小径であることから、支柱４０を挿通した状態においてその弾性復元力で内周側を支柱４０の外周面に押圧し、係止具１Ａが支柱４０上を移動不能に固定するようになっている。
【００２４】
図２（Ｂ）を参照して、支柱係止部２Ａのコイル形状末端側から遠心方向に延設された摘み部２１を、その弾性に抗して矢印方向に付勢して回すことにより、支柱係止部２Ａの内径が拡大して支柱４０外周面との間に隙間Ｘが生じる。そのため、係止具１Ａは支柱４０に対する固定が解除され、支柱４０上を自由に移動できるようになる。従って、係止具１Ａの支柱係止部２Ａに支柱４０を挿入して装着する際、及び支柱４０上の係止具１Ａの位置を変更する場合に、摘み部２１と円弧状に突出した案内部３１とを二つの指で摘むことにより固定状態が解除され、以後は簡易に作業を行えるようになるため植物を所望の姿勢に支持するための作業負担が大きく軽減される。
【００２５】
図３（Ａ），（Ｂ），（Ｃ）を用いて、係止具１Ａを支柱４０に固定後に植物の茎を係止具１Ａで係止する手順を説明する。図３（Ａ）を参照して、茎Ｑを係止具１Ａで係止する場合は、茎Ｑを支柱４０と並列になるようにして係止具１Ａの茎係止部３Ａの開口部３ａ外側に位置合わせをする。このとき、開口部３ａの一端側でコイル形状をなす支柱係止部２Ａ外周面外側と、他端側の円弧状の案内部３１の外周面外側とで形成される入口側の幅が、開口部３ａの幅よりも大きくなっており、しかも入口側から開口部３ａまでステンレス鋼線が湾曲してなる傾斜部を形成している。
【００２６】
そのため、図２（Ｂ）に示すように、茎Ｑを矢印方向に押し込むことにより、支柱係止部２Ａの傾斜した外周面と案内部材３１の傾斜した外周面の上で茎Ｑ外面が滑り、鉤状に形成され弾性に富む茎係止部３Ａの弧状部分を変形させながら開口部３ａを拡開してスムースに案内され、図２（Ｃ）に示すように茎Ｑは茎係止部３Ａ内に収まる。
【００２７】
このように、茎Ｑを開口部３ａ外側から押し込むだけで容易に係止して支柱４０に支持させることができるため、極めて係止作業が容易なものとなり作業負担を軽減できるものとなる。また、図１に示すように係止具１Ａを形成するステンレス鋼線の両端側は支柱係止部２Ａ側を向いて鋭利な部分が植物茎や作業者の指に触れにくくなっているため安全性も高い。
【００２８】
次に、図４を参照して、上述した植物茎の係止具１Ａを係止・固定して植物を支持するための支柱について説明する。
【００２９】
支柱は、装着・移動時における係止具１Ａの支柱係止部２Ａ内径の可変幅が極めて小さいことから、例えば比較的太い軟鉄製のものに樹脂被膜を設けた支柱等は、径の均一度が低くしかもこれを湾曲した場合に径と断面形状が更に大きく変化するため、係止具１Ａの装着及び位置変更が困難となりやすい。従って、位置変更の容易性・固定時の安定性を確保するために、その径が全長に亘って均一なものが好ましく、さらに耐久性・耐腐蝕性に優れたものが好ましい。斯かる観点から、支柱の材料として係止具１Ａと同様にステンレス鋼線が優れている。例えば、胡蝶蘭程度の大きさの観賞用植物に使用する場合は、直径３ｍｍ前後の細いステンレス鋼線でも充分であり、湾曲させて用いても強度は充分に確保することができる。
【００３０】
そして、このように直径３ｍｍ程度に細くすれば、鑑賞用植物の美観を損なうことを最小限としながら安定的に支持しやすいものとなる。例えば、胡蝶蘭のように先端側の花房が垂れ下がる姿勢の鑑賞用植物において、図４に示すような先端部４１をやや下向きに湾曲させた支柱４０Ａが用いられる。尚、支柱４０Ａにステンレス鋼線を用いた場合に、その表面の金属光沢が支持する植物の色調にマッチしないときは、係止具１Ａの移動性・固定性を妨げない範囲でつや消しやブロンズ調等の表面処理を施してもよいことは言うまでもない。
【００３１】
また、支柱にステンレス鋼線を用いた場合、その弾性変形の範囲以上に押圧して曲げれば所定形状に永久的に変形させることも容易になるため、使用する植物の成長過程や鑑賞時の姿勢に合わせて適宜変形させることも容易になる。また、支柱の先端側を湾曲した場合に先端側の重さで支柱が旋回して美しい姿勢の維持が困難となりやすくなるため、図４に示すように、その下部から分岐脚４２を延設して、植え込み材への差込みが本体と分岐脚４２との二本となるようにすれば、旋回を防ぐことができる。また、支柱４０Ａにおいて分岐脚４２の取付ける向きを先端部４１を湾曲した側と同一にしたことで、支柱４０Ａが先端側の重さで倒れにくくなる利点がある。
【００３２】
上述した本実施の形態の係止具１Ａおよび支柱４０Ａを用いて観賞用植物を支持した一例として、胡蝶蘭を支持した状態を図５に示す。強靱なバネ用のステンレス鋼線からなる支柱４０Ａは、図のように細くしても安定的に植物を支持することができ、しかも殆ど目立たないことから花の美観を損ないにくいものとなっている。また、茎を係止して支柱４０Ａに固定する係止具１Ａは、さらに細いステンレス鋼線で作成されていることから、係止部分が殆ど目立たない状態となって花の美観を損なうことなく茎を確実に係止している。
【００３３】
以上述べたように、本考案により、支持した植物の美観を損なうことなく簡易に所望の姿勢に支持することができ、またその支持状態を安定的に維持することができるものである。
【図面の簡単な説明】
【００３４】
【図１】（Ａ）は本考案における実施の形態の係止具を示す側面図、（Ｂ）はその正面図。
【図２】（Ａ），（Ｂ）は図１の係止具において摘み部２１の動作による作用を説明するための側面図。
【図３】（Ａ），（Ｂ），（Ｃ）は図１の係止具で茎を係止する動作を説明するための側面図。
【図４】図１の係止具を固定するための支柱を示す側面図。
【図５】図１の係止具および図４の支柱を用いて植物を支持した状態を示す側面図。
【図６】従来例を示す斜視図。
【図７】従来例を示す側面図。
【図８】従来例を示す側面図。
【符号の説明】
【００３５】
１Ａ  係止具、２Ａ  支柱係止部、３Ａ  茎係止部、３ａ  開放部、２１  摘み部、３１  案内部、４０，４０Ａ  支柱、４１  先端部、４２  分岐脚
【図１】
0003120897.tif 000003
【図２】
0003120897.tif 000004
【図３】
0003120897.tif 000005
【図４】
0003120897.tif 000006
【図５】
0003120897.tif 000007
【図６】
0003120897.tif 000008
【図７】
0003120897.tif 000009
【図８】
0003120897.tif 000010